(57)【要約】【課題】棒体を容易に保持することができる保持具を提供する。【解決手段】保持部２はスポンジ製であり、保持部２の中央部を貫通して、保持孔２３が設けられている。また、保持部２の表面側から保持孔２３の内面まで貫通するスリット２４が形成されている。使用者は、柄付ブラシの柄５１を、スリット２４へ押し込むようにして保持孔２３へ差し込む。このとき、スリット２４が自動的に左右へ開いて柄５１を容易に通過させる。使用者が手を離したときに、弾性復元力によって元の形状に戻った保持部２によって、柄５１が保持される。つまり、柄５１を保持孔２３の軸長方向に差し込んだり、スリット２４を手動で開いたりすることなく、ワンタッチで柄５１を保持することができる。また、保持部２の裏面側に吸盤３１を用いてなる取付部３が設けられており、取付部３を用いて保持部２を壁Ｗに取り付ける。【選択図】図３
2008125987.tif 000002
【特許請求の範囲】
【請求項１】
物品を保持するための保持孔が形成されている保持部と、
該保持部を他の物体に取り付けるための取付部と
を備える保持具であって、
前記保持部は弾性体を用いてなり、
前記保持部の外部から前記保持孔へ前記物品を差し込むために、前記保持孔の軸長方向に沿って、前記保持部の表面から前記保持孔の内面まで貫通するスリットが形成されていることを特徴とする保持具。
【請求項２】
前記取付部は、
前記他の物体に着脱可能に吸着する吸盤と、
該吸盤が係止されている係止孔が形成してあり、一面が前記保持部に接着されている吸盤係止板と
を有することを特徴とする請求項１に記載の保持具。
【請求項３】
物品を掛止するための掛止部を備えることを特徴とする請求項１又は２に記載の保持具。
【発明の詳細な説明】
【技術分野】
【０００１】
本発明は、物品を保持する保持具に関する。
【背景技術】
【０００２】
従来、基板部の両側から互いに接近する側へ傾斜するように設けられた２つの可撓板部の間に被挟持物を差し込んで挟持する挟持具が提案されている（特許文献１参照）。
【特許文献１】特開２００５−１４３８４１号公報
【発明の開示】
【発明が解決しようとする課題】
【０００３】
特許文献１に開示されている挟持具は、タオル、布巾等の布体を簡易に挟持することができるが、柄付ブラシの柄のような棒体を挟持することは困難である。
【０００４】
本発明は斯かる事情に鑑みてなされたものであり、その主たる目的は、保持孔及びスリットが形成されており、弾性体を用いてなる保持部と、取付部とを備える構成とすることにより、棒体を容易に差し込んで保持し、他の物体に取り付けることができる保持具を提供することにある。
【０００５】
本発明の他の目的は、保持部に接着されている吸盤係止板の係止孔に吸盤を係止する構成とすることにより、保持部から吸盤が脱離することを抑制することができる保持具を提供することにある。
【０００６】
本発明の更に他の目的は、掛止部に物品を掛止する構成とすることにより、掛止部に布体、紐体等を掛止することができる保持具を提供することにある。
【課題を解決するための手段】
【０００７】
第１発明に係る保持具は、物品を保持するための保持孔が形成されている保持部と、該保持部を他の物体に取り付けるための取付部とを備える保持具であって、前記保持部は弾性体を用いてなり、前記保持部の外部から前記保持孔へ前記物品を差し込むために、前記保持孔の軸長方向に沿って、前記保持部の表面から前記保持孔の内面まで貫通するスリットが形成されていることを特徴とする。
【０００８】
第２発明に係る保持具は、前記取付部は、前記他の物体に着脱可能に吸着する吸盤と、該吸盤が係止されている係止孔が形成してあり、一面が前記保持部に接着されている吸盤係止板とを有することを特徴とする。
【０００９】
第３発明に係る保持具は、物品を掛止するための掛止部を備えることを特徴とする。
【００１０】
第１発明にあっては、保持部が、例えばスポンジ製又は合成ゴム製の弾性体を用いてなり、この弾性体を貫通して、物品を保持するための保持孔が設けられている。また、保持すべき物品（具体的には、柄付ブラシの柄のような棒体）を、保持部の外部から保持孔へ差し込むために、保持孔の軸長方向に沿って、保持部の表面から保持孔の内面まで貫通するスリットが形成されている。
【００１１】
使用者は、棒体をスリットへ押し込むようにして保持孔へ差し込み、保持孔の内部に棒体を配する。棒体をスリットへ差し込むことによって、弾性体を用いてなる保持部は容易に変形してスリットが自動的に開き、棒体を容易に通過させる。このため、棒体の保持孔への差し込みは簡便である。
また、押し広げられた保持部が元の形状に戻ろうとする弾性復元力によって、棒体が保持部に保持される。
逆に、棒体をスリットから引き抜くことによって、保持孔に保持されている棒体が、容易に取り出される。
【００１２】
更に、吸盤、粘着テープ等のような取付部が備えられており、この取付部を用いて保持部を壁面、柱体等の他の物体に取り付けることによって、物品を保持する保持部が壁面、柱体等に取り付けられる。
【００１３】
第２発明にあっては、取付部の吸盤は、他の物体に着脱可能に吸着するため、使用者が所望する場所に対して適宜に取り付け及び取り外しがなされる。
また、吸盤が保持部から脱離することによって、他の物体に取り付けられている保持部、延いては保持具が脱落することを抑制するために、取付部は吸盤係止板を有する。
吸盤は、吸盤係止板に形成されている係止孔に係止されており、吸盤係止板の一面が保持部に接着されている。このため、例えば吸盤が直接的に保持部に取着されている場合よりも強固に吸盤が保持部に取着される。
【００１４】
第３発明にあっては、掛止部に、布体、紐体、環体等の物品が容易に掛止される。
【発明の効果】
【００１５】
第１発明の保持具による場合、保持孔に柄付ブラシの柄のような物品を差し込むことによって、簡易に保持することができ、しかも、保持した物品を壁面、柱体等の外部の物体に取り付けることができる。更に、保持した物品を容易に取り出すことができる。
【００１６】
第２発明の保持具による場合、他の物体に対して着脱可能であり、しかも、他の物体からの保持具自身の脱落を抑制することができる。
【００１７】
第３発明の保持具による場合、掛止部に種々の物品を掛止することができるため、棒体のみならず、布体、紐体、環体等も容易に保持することができる。
【発明を実施するための最良の形態】
【００１８】
以下、本発明を、その実施の形態を示す図面に基づいて詳述する。
【００１９】
図１、図２及び図３は、夫々本発明に係る保持具１を示す正面図、背面図及び平面図であり、図４は、保持具１が柄付ブラシ５の柄５１を保持している状態を示す斜視図である。ここで、図３は、保持具１に対する柄付ブラシ５の柄５１の取り付けを説明する平面図でもある。
【００２０】
保持具１は、意匠性を向上させるために、全体として草花を模った形状をなしており、図１〜図３に示すように、花に相当する部分が保持部２であって、花の部分の手前側に保持部２のスリット２４、奥側に取付部３が夫々配され、茎及び葉に相当する部分に掛止部４，４が設けられている。
以下では、花の部分を上側とし、茎及び葉の部分を下側とする。
【００２１】
保持部２は、表面層２１及び基体層２２を備える。
表面層２１及び基体層２２は、夫々略鉛直に配されて、正面視及び背面視共に、５枚の花弁を放射状に有する略花形をなしているスポンジ製の弾性体であり、薄く目が粗い表面層２１が、厚く目が細かい基体層２２の正面に接着されている。
ただし、表面層２１には、中央部に略円形の孔が形成されており、この孔を通して、基体層２２を露出させることによって、更に意匠性を向上させている。
【００２２】
また、物品（具体的には図４に示す柄付ブラシ５の柄５１のような棒体。以下では柄５１を例示する）を保持するために、基体層２２の左右方向中心位置に、基体層２２の上端面から下端面に亘って、基体層２２の中央部を貫通する保持孔２３が形成されている（図３参照）。保持孔２３は、本実施の形態においては円柱形状であるが、これに限らず、例えば角柱形状でもよい。
【００２３】
更に、柄５１を保持孔２３に差し込むために、図１〜図３に示すように、保持孔２３の一端から他端まで軸長方向（即ち上下方向）に沿って、表面層２１から保持孔２３の内面まで貫通するスリット２４が形成されている。スリット２４の形成位置は、基体層２２の左右方向中心位置、即ち、花形を左右に二分する位置であり、保持部２の一側部に形成されている。
【００２４】
使用者は、柄５１をスリット２４へ、図３中白抜矢符方向へ押し込む。このとき、弾性体である保持部２が容易に変形し、スリット２４が自動的に左右へ開いて柄５１を容易に通過させるため、柄５１が簡易に保持孔２３へ差し込まれる。
保持孔２３へ柄５１が挿入されることによって、保持部２の弾性復元力が作用し、変形させられた保持部２が元の形状に復元する。このとき、スリット２４が閉じて、図４に示すように、保持孔２３へ挿入された柄５１が保持孔２３に保持される。この結果、柄付ブラシ５が保持具１に保持される。
【００２５】
仮に、スリット２４が形成されていない場合、使用者は、図４に示すように柄付ブラシ５を保持具１に取り付けるために、例えば、保持孔２３の下端側開口から柄５１を上方向へ差し込む必要があり、不便である。
つまり、弾性体を用いてなる保持部２にスリット２４が形成されていることによって、柄５１を保持孔２３の軸長方向に差し込んだり、スリット２４を手動で開いたりすることなく、ワンタッチで柄５１を保持することが可能となる。
【００２６】
また、使用者は、柄５１をスリット２４から引き抜く。このとき、保持部２が再び変形し、スリット２４が自動的に左右へ開いて柄５１を容易に通過させるため、柄５１が簡易に保持孔２３から取り出される。
この場合も、柄５１を保持孔２３の軸長方向から引き抜いたり、スリット２４を手動で開いたりすることなく、ワンタッチで柄５１を取り出すことが可能となる。
【００２７】
ところで、例えば柄５１の外径が保持孔２３の内径よりも大きい場合、主に、保持孔２３を押し広げようとする柄５１に対して作用する弾性復元力が、柄５１を保持する。
また、柄５１の外径が保持孔２３の内径に略等しい場合、主に、柄５１の外周面と保持孔２３の内周面との摩擦力が、柄５１を保持する。
更に、柄５１の上端部の外径が、柄５１の中央部の外径よりも大きい場合、柄５１の中央部を保持孔２３に挿入することによって、基体層２２の上端面に柄５１の上端部が係止されて、柄５１が保持される。
【００２８】
なお、保持孔２３に、タオル６のような布体を保持してもよい。タオル６は、自身とスポンジである基体層２２との摩擦力が大きいため、保持孔２３に確実に保持される。
また、保持孔２３ではなく、スリット２４に挿入し、保持部２の弾性復元力か、又はスリット２４の左右内面と物品との摩擦力で物品を保持してもよい。
【００２９】
ところで、図２及び図３に示すように、基体層２２の背面、即ち保持部２の他側部には、保持具１（更に詳細には保持部２）を他の物体（図３においては壁Ｗ）に取り付ける取付部３が設けられている。
取付部３は吸盤３１と吸盤係止板３２とを有する。
吸盤３１は柔らかい合成樹脂製であり、吸盤３１の吸着部３１ａが壁Ｗ側に向けられ、図３中矢符方向に壁Ｗに押し付けられることによって、吸盤３１が壁Ｗに吸着し、このため、保持具１が壁Ｗに取り付けられる。
【００３０】
図２に示す吸盤３１の突設部３１ｂは、吸着部３１ａの吸着面の裏面に突設されており、先端部の外径が太く、基端部の外径が細い円柱形状である。
ここで、仮に、吸盤３１の突設部３１ｂのみが基体層２２の背面に接着されている場合、接着面積が狭いため、吸盤３１と基体層２２とが簡単に分離し、保持具１が壁Ｗから脱落する。このような不具合を防止するために、本実施の形態においては、吸盤３１を基体層２２に強固に取着するための吸盤係止板３２を用いる。
【００３１】
吸盤係止板３２は硬い合成樹脂製の円形薄板状であり、一面が基体層２２の背面に接着されている。前記接着面積に比べて、吸盤係止板３２と基体層２２との接着面積は広く、吸盤係止板３２と基体層２２とが分離することが抑制されている。
吸盤係止板３２の中央部には、上側の小さい円形状の係止孔３３と下側の大きい円形状の挿入孔３４とが連結して形成されている。係止孔３３は吸盤３１の突設部３１ｂの基端部の外径に略等しい内径を有し、挿入孔３４は吸盤３１の突設部３１ｂの先端部の外径に略等しい内径を有する。
【００３２】
保持具１の製造作業者は、基体層２２に接着されている吸盤係止板３２の挿入孔３４に吸盤３１の突設部３１ｂを挿入し、基体層２２の背面の一部を撓ませつつ、吸盤３１の突設部３１ｂの基端部を係止孔３３に押し入れる。そして、吸盤３１の突設部３１ｂの先端部が、基体層２２の弾性復元力によって基体層２２と吸盤係止板３２との間に挟持されることによって、吸盤３１は係止孔３３に係止される。
つまり、吸盤３１は、吸盤係止板３２を介して強固に基体層２２に取着されている。
【００３３】
ところで、掛止部４，４は、図１及び図２に示すように、前述の草花の茎に相当する延設部４１が上下方向に配され、延設部４１に対して上側に傾斜して、前述の草花の葉に相当する突設部４２，４２が延設部４１の左右に配されてなる。
延設部４１及び突設部４２，４２は、硬い合成樹脂製の薄板状であり、吸盤係止板３２と一体に設けられている。
【００３４】
使用者は、各掛止部４（即ち突設部４２、又は延設部４１と突設部４２とで構成されているＬ字状の部分）に、物品（図１及び図２においてはタオル６）を掛止する。
基体層２２の背面と壁Ｗとの間には、取付部３がスペーサとして作用するため、適宜の離隔距離を有する空間が設けられる（図３参照）。即ち、延設部４１及び突設部４２，４２夫々と壁Ｗとの間には空間が設けられ、この空間を利用して、掛止部４にタオル６が掛止される。仮に、延設部４１及び突設部４２，４２が壁Ｗに密着する構成であれば、掛止部４にタオル６を掛止することは困難である。
【００３５】
以上のような保持具１は、簡易な形状で、柄付ブラシ５の柄５１、タオル６等を容易に保持する。
また、保持具１は、スポンジ及び合成樹脂を用いてなるため、軽量であり、しかも水気に強く、容易に乾燥する。このため、一般的な室内の壁Ｗのみならず、例えば台所のシンクの側壁、風呂桶の側壁のような、水に濡れ易い壁Ｗに取り付けてもよい。
【００３６】
更に、軽量な保持具１は、自重によって壁Ｗから脱落することが抑制される。
更にまた、使用者が物品の保持作業、取出作業等を行なう場合に、使用者の手が表面層２１又は基体層２２層に強く当接しても、使用者が痛みを感じることが抑制され、安全性が高い。しかも保持部２は容易に変形するため、保持した物品を不要に変形させ、又は傷つけることが抑制される。
【００３７】
また、スポンジ製の保持部２に保持孔２３、スリット２４等を形成することは容易であるため、保持具１の製造が簡易である。更に、保持部２夫々の形状を意匠性が高い形状に形成することが容易であるため、保持具１全体の美観を向上させることが容易である。
【００３８】
更にまた、スリット２４と取付部３とは保持部２の一側部と他側部とに設けられてるため、柄付ブラシ５の柄５１の保持及び取り出し夫々と、壁Ｗに対する保持具１の取り付けとが互いに阻害し合うことが抑制される。同様に、柄付ブラシ５の柄５１の保持及び取り出し夫々を、掛止部４，４が阻害することはない。
なお、保持具１の形状、素材等は、本実施の形態で例示したものに限定されるものではない。
【図面の簡単な説明】
【００３９】
【図１】本発明に係る保持具を示す正面図である。
【図２】本発明に係る保持具を示す背面図である。
【図３】本発明に係る保持具を示す平面図である。
【図４】本発明に係る保持具が柄付ブラシの柄を保持している状態を示す斜視図である。
【符号の説明】
【００４０】
１    保持具
２    保持部
２１  表面層（弾性体）
２２  基体層（弾性体）
２３  保持孔
２４  スリット
３    取付部
３１  吸盤
３２  吸盤係止板
３３  係止孔
４    掛止部
５    柄付ブラシ
５１  柄（物品）
６    タオル（物品）
Ｗ    壁（他の物体）
【図１】
2008125987.tif 000003
【図２】
2008125987.tif 000004
【図３】
2008125987.tif 000005
【図４】
2008125987.tif 000006